(57)【要約】【課題】一時的な内線回線の通信異常により無線回線を切断してしまった場合でも、内線回線復旧後に無線回線の再接続が可能なボタン電話装置を提供する。【解決手段】ボタン電話装置２は、カールコードレス電話機２８自らリセットして無線回線を切断してしまった場合でも、通話呼を解放せずに予め通話状態記憶部２４で通話状態を記憶しておき、回線同期監視部１７から内線回線異常があったことを確認し、かつ電話機接続有無監視部２５にて物理的に電話機が切断されていないことを確認すると、内線回線異常時間計測部２３にて予め設定しておいた時間が経過するか若しくは内線回線が復旧するかの比較を行い、ここで予め設定された時間以内に内線回線が復旧すれば、通信エラー時着信データ生成部２０にてカールコードレス電話機親機５に対しカールコードレス電話機子機３の着信鳴動を行う様指示を行う。【選択図】　図１
2004015575.tif 000002
【特許請求の範囲】
【請求項１】
カールコードレス電話機親機とカールコードレス電話機子機とが無線回線で接続されるカールコードレス電話機を内線回線を介して収容するボタン電話装置において、前記カールコードレス電話子機の通話中に前記内線回線に通信異常が発生すると、前記無線回線を切断し、予め設定した時間内に前記内線回線が通信異常から復旧し、かつ前記カールコードレス電話機親機が前記内線回線と接続されている場合は、前記カールコードレス電話機子機に対して着信鳴動を行うことを特徴とするボタン電話装置。
【請求項２】
カールコードレス電話機親機とカールコードレス電話機子機とを無線回線で接続するカールコードレス電話機を内線回線を介して収容するカールコードレス電話機インタフェースを有するボタン電話装置において、前記
カールコードレス電話機インタフェースは、前記カールコードレス電話機親機との間で制御情報を送受信する制御情報送受信部と、前記制御情報の有無を監視して前記内線回線の通信異常を検出する回線同期監視部と、前記回線同期監視部の通信異常検出から予め設定されている通信異常時間を計測する回線異常時間計測部と、前記カールコードレス電話機親機への電源供給状態を監視して前記カールコードレス電話機親機が前記内線回線に接続されているか否かを監視する電話機接続有無監視部と、前記回線異常時間計測部が計測している時間内に前記内線回線の復旧を前記回線同期監視部が検出し、かつ前記内線回線に前記カールコードレス電話機親機に接続されていることを前記電話機接続有無監視部が検出している場合に、前記無線回線を接続してカールコードレス電話機を着信鳴動させる着信鳴動制御信号を生成する通信エラー時着信データ生成部とを有することを特徴とするボタン電話装置。
【請求項３】
請求項１記載のボタン電話装置において、予め設定した時間内に前記内線回線が通信異常から復旧しなかった場合は、通話呼を解放することを特徴とするボタン電話装置。
【請求項４】
前記カールコードレス電話機インタフェース部は、前記回線異常時間計測部が計測している時間内に前記内線回線の復旧を前記回線同期監視部が検出しなかった場合に着信呼の解放を前記中央制御部に指示する呼開放指示部を有することを特徴とする請求項２記載のボタン電話装置。
【発明の詳細な説明】
【０００１】
【発明の属する技術分野】
本発明は、ボタン電話装置に関し、特に、親機と子機の間を１対１の無線回線で接続して使用するカールコードレス電話機を複数収容するボタン電話装置に関する。
【０００２】
【従来の技術】
従来のこの種のボタン電話装置の一例が特開平０７−０５８８４３号公報に記載されている。この従来技術では、ボタン電話装置のデジタル電話機を収容するデジタル電話機インタフェースの通信制御手順実行部が通信エラーを検出し、タイマ管理部で通信エラーが検出されてからの経過時間を計測し、さらに回数計測部で計測された通信エラー回数が一定時間予め設定されていた回数を超えていた場合、ボタン電話装置とデジタル電話機との回線が物理的に切断されていると判断し、回線断側の通話相手の回線メッセージ送出部と接続し、接続してからの経過時間をタイマ管理部で計測し、所定時間までに回線が復旧されたときには回線異常状態以前の通話路状態を回復し、通話を再開できる様に制御している。
【０００３】
【発明が解決しようとする課題】
第１の問題点は、従来のボタン電話装置にカールコードレス電話機を収容し内線回線に通信異常が発生した場合、カールコードレス電話機は内線回線が通信不能になると自動的にリセットし、カールコードレス電話機親機と子機を接続していた無線回線を切断してアイドル状態に移行してしまい、内線回線の通信異常が一時的なもので直ぐに復旧した場合でも、ボタン電話装置とカールコードレス電話機親機の内線回線を復旧させて通話呼を接続することができても、子機に対して通知することができないということである。
【０００４】
その理由は、従来のボタン電話装置には通話中に内線回線にノイズが印可し、その通信異常が原因で自ら無線回線を切断してしまったカールコードレス電話機において、内線回線が復旧した後に無線回線を再度接続するための手段が無いためである。
【０００５】
本発明は上記問題に鑑みてなされたものであって、本発明は、一時的な内線回線の通信異常により無線回線を切断してしまった場合でも、内線回線復旧後に無線回線の再接続が可能なボタン電話装置を提供することを目的とする。
【０００６】
【課題を解決するための手段】
本発明は、カールコードレス電話機親機とカールコードレス電話機子機とが無線回線で接続されるカールコードレス電話機を内線回線を介して収容するボタン電話装置において、前記カールコードレス電話子機の通話中に前記内線回線に通信異常が発生すると、前記無線回線を切断し、予め設定した時間内に前記内線回線が通信異常から復旧し、かつ前記カールコードレス電話機親機が前記内線回線と接続されている場合は、前記カールコードレス電話機子機に対して着信鳴動を行うことを特徴とする。
【０００７】
【発明の実施の形態】
次に本発明の実施形態について図面を参照して詳細に説明する。図１は、本発明の一実施形態の構成を示すブロック図である。本実施形態のボタン電話装置２は、図１に示すように、公衆網１である外線２７を収容する網制御部１１と、ボタン電話装置２を制御する中央制御部１２と、通話を制御する通話回路１３と、回線の交換接続を行う時分割スイッチ１４と、内線回線６、１０を介してカールコードレス電話機２８、２９を収容するカールコードレス電話機インタフェース部１５とで構成される。
【０００８】
また、カールコードレス電話機２８は、カールコードレス電話機子機３と、カールコードレス電話機親機５とで構成され、カールコードレス電話機親機５は内線回線６を介してカールコードレス電話機インタフェース部６に接続され、１対１の無線回線４を介してカールコードレス電話機子機３と通信を行う。
【０００９】
また、カールコードレス電話機２８は、カールコードレス電話機子機７と、カールコードレス電話機親機９とで構成され、カールコードレス電話機親機７は内線回線１０を介してカールコードレス電話機インタフェース部６に接続され、１対１の無線回線８を介してカールコードレス電話機子機７と通信を行う。
【００１０】
また、カールコードレス電話機インタフェース部１５は、カールコードレス電話機親機５とカールコードレス電話機親機９に対して制御情報を送出する制御情報送受信部１６と、内線回線６、１０の通信異常を常時監視する回線同期監視部１７と、カールコードレス電話機インタフェース１５の全体を制御するカールコードレス電話機インタフェース制御部１８と、呼制御情報等の制御情報を生成する制御情報生成部１９と、予め設定された時間以内に該内線回線６または該内線回線１０が復旧しなかった場合に中央制御部１２に対し通話を解放する旨の指示を行う呼解放指示部２１と、回線同期監視部１７からの情報などにより通話状態を管理する通話状態管理部２２と、カールコードレス電話機親機５及びカールコードレス電話機親機９に内線回線６及び内線回線１０を介して電源供給を行う電源供給部２６とで構成される。
【００１１】
また、制御情報生成部１９は、カールコードレス電話機親機５又はカールコードレス電話機親機９がカールコードレス電話機子機３またはカールコードレス電話機子機７と無線回線４または無線回線８を使用して通話中に内線回線６または内線回線１０にノイズが印可して通話切断し、予め設定された時間以内に該内線回線６または該内線回線１０が復旧した場合、該カールコードレス電話機親機５と該カールコードレス電話機子機３または該カールコードレス電話機親機９とカールコードレス電話機子機７の間の無線回線４または無線回線８を接続し、カールコードレス電話機子機３またはカールコードレス電話機子機７を着信鳴動させるための制御情報を生成する通信エラー時着信データ生成部２０を有する。
【００１２】
また、通話状態管理部２２は、回線同期監視部１７から内線回線６または内線回線１０において回線異常であることが通知されるとその時間を計測する内線回線異常時間計測部２３と、カールコードレス電話機子機３とカールコードレス電話機親機５及びカールコードレス電話機子機７とカールコードレス電話機親機９の通話状態を記憶しておく通話状態記憶部２４と、カールコードレス電話機親機５またはカールコードレス親機９への電源供給状態を監視することで該カールコードレス電話機親機５または該カールコードレス電話機親機９がそれぞれ内線回線６または内線回線１０と物理的に接続されているか否かを監視する電話機接続有無監視部２５とを有する。
【００１３】
次に、本実施形態の動作について図１を参照して詳細に説明する。まず、公衆網１及び外線２７を経由してボタン電話装置２の網制御部１１と接続された通話は、通話回路１３、時分割スイッチ１４を経由してカールコードレス電話機インタフェース部１５に接続され、ボタン電話装置２のカールコードレス電話機インタフェース部１５から内線回線６を介してカールコードレス電話機親機５と接続され、該カールコードレス電話機親機５は無線回線４を介してカールコードレス電話機子機３と接続されている。
【００１４】
ここで、カールコードレス電話機親機５とボタン電話装置２を接続している内線回線６に通信異常が発生すると、カールコードレス電話機親機５は内線回線と通信出来なくなったことを検出して自らリセットすることでカールコードレス電話機子機３との間で接続していた無線回線４を切断してアイドル状態に移行する。
【００１５】
次にカールコードレス電話機インタフェース部１５の内部にある回線同期監視部１７は、カールコードレス電話機親機５との間で制御情報の送受信ができなくなると通信異常になったことを検出する。カールコードレス電話機インタフェース部１５は回線同期監視部１７にて内線回線異常時間計測部２３へ通信異常時間計測の開始を指示する。内線異常時間計測部２３は予め設定された時間の計測を行い、この時間内にカールコードレス電話機親機５と制御情報送受信部１６との間で制御情報の送受信が正常に復旧したことを内線同期監視部１７が検出すると、内線同期監視部１７は通話状態管理部２２に対して内線回線の復旧を通知する。復旧の通知を受信した通話状態管理部２２は、電話機接続有無監視部２５にてカールコードレス電話機親機５が内線回線６と物理的に接続されたままの状態であることを検出すると、カールコードレス電話機インタフェース制御部１８は通信エラー時着信データ生成部２０に対して、カールコードレス電話機子機３へ着信鳴動情報の送出を指示する。
【００１６】
また、電話機接続有無監視部２５にてカールコードレス電話機親機５が内線回線６を切断し、ボタン電話装置２と物理的に切断していると確認した場合は、カールコードレス電話機インタフェース制御部１８は呼解放指示部２１に対して通話呼を解放する様に指示を行い、終話処理を行い、通話呼の持ちきりを防止する。
【００１７】
また、内線回線異常時間計測部２３にて予め設定しておいた時間以内に通信異常から復旧しない場合、カールコードレス電話機インタフェース制御部１８は、電話機接続有無監視部２５にてカールコードレス電話機２８が物理的に接続されている場合でも、呼解放指示部２１に対して通話呼を解放する様に指示し、終話処理を行い通話呼の持ちきりを防止する。
【００１８】
以上、説明した通り、本実施形態によれば、カールコードレス電話機２８が公衆網１及び外線２７を介して第三者と通話中に、ボタン電話装置２とカールコードレス電話機親機５を接続する内線回線６の通信異常が原因でカールコードレス電話機親機５が自らリセットして無線回線４を切断してアイドル状態に移行した場合、ボタン電話装置２は通話呼を解放せずに、予め設定しておいた時間以内に内線回線６が通信異常から復旧した際には通信エラー時着信データ生成部にてカールコードレス電話機子機３を着信鳴動させるための制御データを生成し、制御情報送受信部１６を介してカールコードレス電話機親機５に送出することでアイドル状態に移行したカールコードレス電話機親機５とカールコードレス電話機子機３の間の無線回線４を復旧させ、同時にカールコードレス電話機子機３が着信鳴動を開始することで通話が再開できる様になったことを通知することができる。
【００１９】
また、予め設定しておいた時間を経過しても内線回線６が通信異常から復旧しなかった場合にはボタン電話装置２の中央制御部１２は呼解放指示部２１からの指示によりボタン電話装置２の網制御部１１に対し話呼を解放し、公衆網１との通話を終話させる様指示を行うことで通話呼の持ちきりを防止することができる。
【００２０】
【発明の効果】
以上の通り、本発明では、本発明のボタン電話装置に接続されたカールコードレス電話機の内線回線が通信異常になりカールコードレス電話機親機が自らリセットすることで無線回線を切断しアイドル状態に移行した際、ボタン電話装置は直ちに通話呼を解放せず、予め設定しておいた時間以内に内線回線が復旧した場合にはカールコードレス電話機子機を着信鳴動させるための制御データを生成してカールコードレス電話機親機に送出することにより、カールコードレス電話機親機とカールコードレス電話機子機の間の無線回線を復旧させ、カールコードレス電話機子機を着信鳴動させることで通話再開を通知することができる。
【００２１】
また、予め設定しておいた時間が経過しても内線回線が通信異常から復旧しなかった場合には通話中の呼を解放することにより、通話呼の持ちきりを防止することができる。
【図面の簡単な説明】
【図１】本発明のボタン電話装置にかかわる実施形態の構成を示すブロック図である。
【符号の説明】
１　　公衆網
２　　ボタン電話装置
３　　カールコードレス電話機子機
４　　無線回線
５　　カールコードレス電話機親機
６　　内線回線
７　　カールコードレス電話機子機
８　　無線回線
９　　カールコードレス電話機親機
１０　　内線回線
１１　　網制御部
１２　　中央制御部
１３　　通話回路
１４　　時分割スイッチ
１５　　カールコードレス電話機インタフェース部
１６　　制御情報送受信部
１７　　回線同期監視部
１８　　カールコードレス電話機インタフェース制御部
１９　　制御情報生成部
２０　　通信エラー時着信データ生成部
２１　　呼解放指示部
２２　　通話状態管理部
２３　　内線回線異常時間計測部
２４　　通話状態記憶部
２５　　電話機接続有無監視部
２６　　電源供給部
２７　　外線
２８　　カールコードレス電話機
２９　　カールコードレス電話機
【図１】
2004015575.tif 000003